(57)【要約】【課題】各種の周波数の通信波に対応可能なフィルム状アンテナを提供する。【解決手段】シート状で切断可能な貼付シート１１０に、切断可能に導電性材料にて細線状で通信波を受信可能で、受信により接続する受信装置へ電圧を印加するエレメント部１３１を有したアンテナ本体１３０を設け、シート状で切断可能な剥離シート１２０を貼付シート１１０に積層形成する。貼付シート１１０に、切断するエレメント部１３１で受信させる通信波の周波数に対応する長さ位置で切断位置を示す切断用案内部１４０を設ける。利用者毎に受信しようとする周波数に応じて切断用案内部１４０の表示に従って単に切断するのみでよく、汎用性の高いフィルム状アンテナ１００を提供できる。【選択図】図１
2007194844.tif 000002
【特許請求の範囲】
【請求項１】
シート状で切断装置にて切断可能に設けられたフィルム部と、
前記切断装置にて切断可能に前記フィルム部に導電性材料にて細線状で通信波を受信可能に設けられ、前記通信波の受信により接続される受信装置へ電圧を印加するエレメント部と、
シート状で前記切断装置にて切断可能に前記フィルム部に積層されるシート状のシート部と、
前記フィルム部、前記シート部および前記エレメント部のうちの少なくともいずれか１つに設けられ、前記切断装置で切断される前記エレメント部で受信可能な前記通信波の周波数に対応し前記切断装置にて切断位置を示す表示部と、
を具備したことを特徴としたアンテナ装置。
【請求項２】
請求項１に記載のアンテナ装置であって、
前記表示部は、前記シート部に設けられた
ことを特徴としたアンテナ装置。
【請求項３】
請求項２に記載のアンテナ装置であって、
前記フィルム部は、一面に粘着層が設けられ、
前記シート部は、前記フィルム部の一面に剥離可能に積層された
ことを特徴としたアンテナ装置。
【請求項４】
請求項１に記載のアンテナ装置であって、
前記表示部は、前記フィルム部に設けられた
ことを特徴としたアンテナ装置。
【請求項５】
請求項１に記載のアンテナ装置であって、
前記表示部は、前記エレメント部の幅寸法が異なる状態に設けられた
ことを特徴としたアンテナ装置。
【請求項６】
請求項１ないし請求項５のいずれかに記載のアンテナ装置であって、
前記エレメント部は、転写可能な状態で前記フィルム部に設けられた
ことを特徴としたアンテナ装置。
【請求項７】
シート状に設けられたフィルム部と、
このフィルム部に導電性部材にて細線状で所定の周波数帯の通信波を受信可能な長さに設けられた第１エレメント部と、
前記フィルム部に導電性部材にて細線状で前記第１エレメント部の長手方向の他端部に長手方向の一端部が厚み方向で電気的に導通する状態に積層して設けられ、前記第１エレメント部と前記第１エレメント部にて受信可能な通信波の周波数帯と異なる周波数帯の前記通信波を受信可能な長さに設定された第２エレメント部と、
を具備したことを特徴としたアンテナ装置。
【請求項８】
請求項７に記載のアンテナ装置であって、
前記第１エレメント部および前記第２エレメント部は、互いに積層する部分が前記フィルム部側に前記第２エレメント部が位置する状態で転写可能に前記フィルム部に設けられた
ことを特徴としたアンテナ装置。
【請求項９】
請求項７または請求項８に記載のアンテナ装置であって、
前記フィルム部は、前記第１エレメント部および前記第２エレメント部に対応して受信可能な異なる周波数帯の前記通信波の内容を示す表示部を備えた
ことを特徴としたアンテナ装置。
【発明の詳細な説明】
【技術分野】
【０００１】
本発明は、所望の受信帯域にエレメントの長さを調整可能なアンテナ装置に関する。
【背景技術】
【０００２】
従来、例えばシート状のフィルムに導電性の細線が印刷形成されたフィルム状アンテナが知られている。
このフィルム状アンテナは、導電性の細線が、例えば周波数が１００ＭＨｚのＶＨＦ−Ｌ帯を受信可能な長さに形成されている。
【発明の開示】
【発明が解決しようとする課題】
【０００３】
しかしながら、上述したシート状のアンテナでは、例えばＵＨＦ帯の送信局しか存在しない地域など、受信する帯域が限定された地域では、それぞれの帯域に対応した長さに導電性の細線を形成する必要があり、多数の種類のアンテナを形成する必要があり、汎用性の向上が望まれている。
本発明は、このような実情などに鑑みて、各種の周波数の通信波に対応可能なアンテナ装置を提供することを１つの目的とする。
【課題を解決するための手段】
【０００４】
請求項１に記載の発明は、シート状で切断装置にて切断可能に設けられたフィルム部と、前記切断装置にて切断可能に前記フィルム部に導電性部材にて細線状で通信波を受信可能に設けられ、前記通信波の受信により接続される受信装置へ電圧を印加するエレメント部と、シート状で前記切断装置にて切断可能に前記フィルム部に積層されるシート状のシート部と、前記フィルム部、前記シート部および前記エレメント部のうちの少なくともいずれか１つに設けられ、前記切断装置で切断される前記エレメント部で受信可能な前記通信波の周波数に対応し前記切断装置にて切断位置を示す表示部と、を具備したことを特徴としたアンテナ装置である。
【０００５】
請求項７に記載の発明は、シート状に設けられたフィルム部と、このフィルム部に導電性部材にて細線状で所定の周波数帯の通信波を受信可能な長さに設けられた第１エレメント部と、前記フィルム部に導電性部材にて細線状で前記第１エレメント部の長手方向の他端部に長手方向の一端部が厚み方向で電気的に導通する状態に積層して設けられ、前記第１エレメント部と前記第１エレメント部にて受信可能な通信波の周波数帯と異なる周波数帯の前記通信波を受信可能な長さに設定された第２エレメント部と、を具備したことを特徴としたアンテナ装置である。
【発明を実施するための最良の形態】
【０００６】
以下、本発明の一実施の形態を図面に基づいて説明する。
本実施の形態では、本発明のアンテナ装置であるフィルム状アンテナとして、例えば車両のリヤウィンドなどに貼り付ける構成を例示するが、貼り付ける構成に限らず、そのままシート状として利用する構成や、導電性の細線であるアンテナ本体のみを転写する構成など、いずれの形態としても利用可能である。また、自動車などの車両に限らず、軌道車などの車両の他、飛行機、船舶などいずれの移動体に設ける構成としてもよい。また、一対のエレメント部を備えた構成を掲示するが、１本のみ、あるいは枝分かれ状に形成されたものなど、いずれの形状を対象とすることができる。
【０００７】
〔第１実施の形態〕
（フィルム状アンテナの構成）
図１は、本発明の第１実施形態におけるフィルム状アンテナの概略構成を示す分解斜視図である。
図１において、１００はアンテナ装置としてのフィルム状アンテナで、このフィルム状アンテナ１００は、ラジオ放送波やテレビ放送波などの各種通信波を受信する図示しない受信装置に接続され、通信波による電波により微弱電圧を受信装置へ印加する。
【０００８】
このフィルム状アンテナ１００は、フィルム部としての貼付シート１１０と、シート部としての剥離シート１２０と、が厚さ方向で積層された積層構造に構成されている。
貼付シート１１０は、可撓性を有する透光性で、切断装置であるはさみやカッターナイフなどにて切断可能な例えばポリエチレンやポリプロピレンなどにてシート状に形成された合成樹脂シートである。この貼付シート１１０には、一面に粘着剤などが被覆形成された図示しない粘着層が設けられている。そして、貼付シート１１０は、粘着層により車両のリヤウィンドなどに貼り付けられる。
【０００９】
また、貼付シート１１０には、アンテナ本体１３０と、表示部としての切断用案内部１４０と、が印刷形成されている。
アンテナ本体１３０は、貼付シート１１０の粘着層が設けられる一面に印刷形成されている。そして、アンテナ本体１３０は、例えば導電性材料である銅などの導電性金属にて細線状に貼付シート１１０に印刷形成された一対のエレメント部１３１と、これらエレメント部１３１の長手方向の一端に連続して略円形に貼付シート１１０に印刷形成された端子部１３２と、を備えている。
切断用案内部１４０は、例えば顔料が含有されたいわゆるインキなどにて貼付シート１１０に印刷形成されている。この切断用案内部１４０は、エレメント部１３１の端子部１３２からの長さが、例えば受信する周波数に対応した長さとなる位置に目盛状に印刷形成された目盛部１４１と、各目盛部１４１に対応して特徴的な放送波のチャンネルが印字された印字部１４２と、を有している。なお、本第１実施形態では、チャンネルを例示するが、例えば、「VHF-Low」や「VHF-High」、「UHF」などの周波数帯域を印字したり、「地上波アナログ」および「地上デジタル」などの受信する通信波の種別などの内容を印字したりするなどしてもよい。
【００１０】
剥離シート１２０は、例えば紙や合成樹脂フィルムなどにて、はさみやカッターナイフなどにて切断可能なシート状に形成されている。この剥離シート１２０は、例えば剥離作業の容易性などを考慮して貼付シート１１０より若干大きめに形成されている。なお、剥離シート１２０が貼付シート１１０より大きく形成される必要はなく、略同寸法とするなどしてもよい。そして、剥離シート１２０は、一面に貼付シート１１０の粘着層との剥離性が良好な表面処理が施されている。この表面処理としては、貼付シート１１０の粘着層の粘着剤の組成に応じて適宜設定される。そして、この剥離シート１１０の一面側に貼付シート１１０の粘着層が対向する状態で剥離可能に一体的に積層され、フィルム状アンテナ１００が構成されている。
【００１１】
（フィルム状アンテナの動作）
次に、上記フィルム状アンテナ１００の動作として、利用状況について説明する。
【００１２】
フィルム状アンテナ１００の切断用案内部１４０に従って、利用者がはさみやカッターナイフなどの各種切断装置を利用して、エレメント部１３１の端子部１３２からの長さが利用者の所望する長さの位置で切断される状態にフィルム状アンテナ１００を切断、すなわち不要な部分を切り落とす。
この後、剥離シート１２０からアンテナ本体１３０が設けられた貼付シート１１０を剥離し、車両のリヤウィンドなどに貼付シート１１０を貼り付ける。この貼付の際、アンテナ本体１３０の端子部１３２が図示しない車両に搭載された受信装置のアンテナ接続用の一対の端子に電気的に接続する状態に、貼付シート１１０が貼り付けられる。
【００１３】
（フィルム状アンテナの作用効果）
上述したように、上記第１実施形態では、シート状ではさみやカッターナイフなどの切断装置にて切断可能な貼付シート１１０に、切断装置にて切断可能に導電性材料にて細線状で、ラジオ放送波やテレビ放送波などの通信波を受信可能で、受信により接続される受信装置へ電圧を印加するエレメント部１３１を有したアンテナ本体１３０を設け、シート状で切断装置にて切断可能な剥離シート１２０を貼付シート１１０に積層形成する。そして、貼付シート１１０に、切断装置で切断するエレメント部１３１で受信させる通信波の周波数に対応する長さ位置で切断位置を示す切断用案内部１４０を設けている。
このため、利用者毎に受信しようとする周波数に応じて切断用案内部１４０の表示に従って単に切断するのみでよく、受信する通信波の周波数に応じて、例えば各地域における番組毎にエレメント部１３１の長さ寸法を設定して形成する必要がなく、汎用性の高いフィルム状アンテナ１００を提供できる。したがって、製造品目が少なく、製造効率が高くなるとともに各製品の製造管理や在庫管理なども容易となり、汎用性の高いフィルム状アンテナ１００を安価に提供できる。
【００１４】
そして、切断用案内部１４０をアンテナ本体１３０が設けられる貼付シート１１０に設けている。
このため、アンテナ本体１３０と切断案内部１４０との位置ずれが生じず、切断用案内部１４０の表示に従った切断により、所望とする周波数帯の通信波を良好に受信できるフィルム状アンテナ１００を提供できる。
【００１５】
また、アンテナ本体１３０が一面に設けられる貼付シート１１０の一面に粘着層を設けて、アンテナ本体１３０を貼付シート１１０とともに車両のリヤウィンドなどに貼り付ける構成としている。
このため、アンテナ本体１３０が貼付シート１１０にて覆われて外気に暴露されず、アンテナ本体１３０が錆びるなどの不都合を防止でき、長期間安定した受信が得られる。
【００１６】
さらに、剥離シート１２０を貼付シート１１０の粘着層側に剥離可能に積層形成している。
このため、搬送時や切断時などでは粘着層が露出せず、搬送作業や切断作業などが容易となるとともに、粘着層に塵埃などの付着による粘着力の低下を防止でき、長期間安定したアンテナ本体１３０の貼付状態が容易に得られる。
【００１７】
また、切断用案内部１４０として、切断位置となる目盛部１４１と、その位置で切断することによる受信可能な通信波の周波数に関する内容を示す印字部１４２とを有する構成としている。
このため、利用者に所望とする切断位置を認識させることが容易にでき、適切な切断位置で切断させて適切な受信状態が得られるための切断作業が容易にできる。
【００１８】
（第１実施形態の変形例）
なお、上記第１実施形態において、貼付シート１１０に切断用案内部１４０を設けて説明したが、例えば図２に示すように、剥離シート１２０側に設けてもよい。
このような構成によれば、貼付シート１１０を例えば車両のリヤウィンドなどに貼り付けた際に、切断用案内部１４０は剥離シート１２０とともに除去されているのでアンテナ本体１３０のみ貼り付けられ、切断用案内部１４０による外観が損なわれるなどの不都合を防止できる。
また、図２に示すように、切断用案内部１４０として、アンテナ本体１３０の形状に対応した位置決め線１４３を設けることで、切断用案内部１４０が貼付シート１１０に対して適切な位置関係で剥離シート１２０を貼付シート１１０に積層させることができ、フィルム状アンテナ１００の製造作業性が容易となって製造効率を向上でき、積層状態の確認もでき、安定した品質を提供できる。
【００１９】
また、剥離シート１２０として貼付シート１１０に一体的に積層形成し、剥離シート１２０を剥離して粘着層にて貼り付けて利用する構成を例示したが、貼り付ける利用形態に限られない。例えば図２に示す構成において、貼付シート１１０に粘着層を設けず、剥離シート１２０を位置決め線１４３とアンテナ本体１３０が重なり合う状態で貼付シート１１０に重ね合わせ、この重ね合わせた状態で切断用案内部１４０に従って切断させた後、貼付シート１１０のみをアンテナとして利用、吊り下げ支持したり貼り付けたりするなどすればよい。
このような構成では、粘着層を設ける必要がなく、構成が簡略化してより製造性の向上や安価な提供が容易にできる。さらには、剥離シート１２０がカッターナイフなどにて切り落とされない比較的に硬質の材料などにて形成することで、剥離シート１２０が再利用可能となり、単にアンテナ本体１３０を設けた貼付シート１１０のみを流通させることも可能となり、より構成の簡略化による製造性の向上や安価な提供が容易にできる。
【００２０】
さらに、切断用案内部１４０としては、目盛部１４１または印字部１４２のみの構成としてもよい。
また、本発明の表示部として、切断用案内部１４０のみならず、例えば図３に示すように、切断位置としてエレメント部１３１自体の幅寸法を変えて示す構成としてもよい。すなわち、本発明の表示部１４５をエレメント部１３１に設けてもよい。このような構成によれば、より利用者が切断位置を容易に認識できる。
そして、エレメント部１３１に設ける表示部１４５としては、例えば図４に示すように幅狭に形成したり、図５に示すようにメッシュ状に構成したりして、より切断性を向上させる構成としてもよい。これら図４および図５に示すような構成によれば、切断性の向上により、作業性を向上できるとともに、より適切な位置での切断が実施でき、所望とする周波数の通信波を良好に受信できる。
【００２１】
そして、貼付シート１１０とともに貼り付ける構成を例示したが、例えば貼付シート１１０からアンテナ本体１３０のみをリヤウィンドに転写する構成としてもよい。
このような転写する構成としては、貼付シート１１０に粘着層を設けず、アンテナ本体１３０の部分に粘着層を設ければよい。
また、転写する構成としては、例えば図６に示すように、アンテナ本体１３０が外気に触れないようにアンテナ本体１３０の形状に対応してアンテナ本体１３０と貼付シート１１０間に積層する状態に保護層１５０を設け、保護層１５０とともにアンテナ本体１３０を転写することが好ましい。
【００２２】
また、図６に示す構成において、エレメント部１３１に図４や図５に示すような切断性を向上させる表示部１４５を設けず、例えば図７に示すように、保護層１５０を切断位置で間欠する状態に設けてもよい。この図７に示す構成によれば、導電性部材にて印刷形成するより、合成樹脂などにて保護層１５０の印刷形成が容易で、所定の位置での切断性が良好なフィルム状アンテナ１００でのより製造性の向上が得られる。
なお、保護層１５０として着色することにより、間欠位置が切断位置としてより認識しやすくなる表示部１４５として機能することとなるので好ましい。
【００２３】
さらに、図７に示す構成において、エレメント部１３１と貼付シート１１０との間に保護層１５０を設けて説明したが、例えばエレメント部１３１と剥離シート１２０との間に保護層１５０を設ける構成としてもよい。そして、リヤウィンドなどの被貼付体に対して保護層１５０を介してアンテナ本体１３０を貼り付けるように構成すればよい。
このような構成とすることで、細線状のアンテナ本体１３０でも保護層１５０により貼付面積が増大し、貼付強度を向上できる。
特に、アンテナ本体１３０を間に挟み込む状態に２層の保護層１５０を設けることで、貼付強度を向上できるとともにアンテナ本体１３０の錆などの不都合も防止できるので、より好ましい。
【００２４】
〔第２実施形態〕
（フィルム状アンテナの構成）
次に、本発明の他の実施の形態を図面に基づいて説明する。
図８は、本発明の第２実施形態であるフィルム状アンテナの概略構成を示すアンテナ本体の長手方向に沿った断面図である。
図８において、２００はアンテナ装置としてのフィルム状アンテナで、このフィルム状アンテナ２００は、上記第１実施形態と同様に、ラジオ放送波やテレビ放送波などの各種通信波を受信する図示しない受信装置に接続され、通信波による電波により微弱電圧を受信装置へ印加する。
【００２５】
このフィルム状アンテナ２００は、上述した第１実施形態と同様に、フィルム部としての貼付シート２１０と、シート部としての剥離シート２２０と、が厚さ方向で積層された積層構造に構成されている。
貼付シート２１０は、可撓性を有する透光性で例えばポリエチレンやポリプロピレンなどにてシート状に形成された合成樹脂シートである。
また、貼付シート２１０には、アンテナ本体２３０と、図示しない表示部と、が印刷形成されている。
【００２６】
アンテナ本体２３０は、第１エレメント部２３１と、第２エレメント部２３２と、を備えている。
第１エレメント部２３１は、第１実施形態のエレメント部１３１と同様に、一端部に図示しない端子部を有した細線状に貼付シート２１０の一面に、例えば銅などの導電性材料にて印刷形成されている。例えば、この第１エレメント部２３１は、端子部からの長さが、デジタルテレビ放送波を受信可能な長さに設定されている。
第２エレメント部２３２は、細線状で、長手方向の一端が、第１エレメント部２３１の長手方向の他端に電気的に導通する状態に厚み方向で積層して設けられている。この第２エレメント部２３２は、導通する第１エレメント部２３１とにより、例えば、アナログテレビ放送波を受信可能な端子部からの長さに設定されている。
これら第１エレメント部２３１および第２エレメント部２３２は、積層する部分が貼付シート２１０側に第２エレメント部２３２が位置する状態に互いに略半分の厚さで積層形成されている。これら第１エレメント部２３１および第２エレメント部２３２の互いに接触する面の間には、図示しない導電性の粘着層にて電気的に導通する状態で接合されている。
【００２７】
表示部は、例えば貼付シート２１０に印刷形成されている。そして、表示部は、第１エレメント部２３１に略沿って例えば「デジタルテレビ」などのごとく印字された図示しない第１印字部と、第２エレメント部２３２に略沿って例えば「アナログテレビ」などのごとく印字された図示しない第２印字部と、を備えている。
【００２８】
剥離シート２２０は、第１実施形態と同様に、例えば紙や合成樹脂フィルムなどにて、剥離作業の容易性などを考慮して貼付シート２１０より若干大きめのシート状に形成されている。なお、第１実施形態と同様に、剥離シート２２０が貼付シート２１０より大きく形成される必要はなく、略同寸法とするなどしてもよい。この剥離シート２２０は、貼付シート２１０のアンテナ本体２３０が設けられた側の面に剥離可能に一体的に積層され、フィルム状アンテナ２００が構成される。なお、この一体的な積層は、例えば貼付シート２１０のアンテナ本体２３０が設けられた側の面に粘着層を設けて剥離可能に接着させて積層したり、密着により剥離可能に積層したりするなど、いずれの方法が利用できる。
【００２９】
（フィルム状アンテナの動作）
次に、上記フィルム状アンテナ２００の動作として、利用状況について説明する。
【００３０】
フィルム状アンテナ２００をアナログテレビ放送波の受信に利用する場合、剥離シート２２０を剥離し、貼付シート２１０におけるアンテナ本体２３０が設けられた側である剥離シート２２０を剥離した面を車両のリヤウィンドなどの被貼付体に押し付ける状態とする。この押し付ける際に、アンテナ本体２３０の端子部が図示しない車両に搭載された受信装置のアンテナ接続用の一対の端子に電気的に接続する状態に位置決めする。
そして、アンテナ本体２３０が十分に貼り付けられた状態で貼付シート２１０を被貼付体から剥がすようにし、アンテナ本体２３０を転写させる。
【００３１】
また、フィルム状アンテナ２００をデジタルテレビ放送波の受信に利用する場合には、アナログテレビ放送波の場合と同様にアンテナ本体２３０を被貼付体に貼り付ける。
この後、第２エレメント部２３２をさらに被貼付体から剥がし、被貼付体の表面に第１エレメント部２３１のみが残る状態とする。すなわち、第１エレメント部２３１および第２エレメント部２３２は、積層する部分が被貼付体の表面に対して第２エレメント部２３２が表面側に位置する状態で転写されるので、貼付シート２１０の表示部の第２印字部に従って第２エレメント部２３２を剥がすと、第１エレメント部２３１が被貼付体の表面に剥がれることなく残る状態となる。
【００３２】
（フィルム状アンテナの作用効果）
上述したように、上記第２実施形態では、シート状の貼付シート２１０に、導電性部材にて細線状で例えばデジタルテレビ放送波などの所定の周波数帯の通信波を受信可能な長さに設けられた第１エレメント部２３１と、導電性部材にて細線状で第１エレメント部２３１の長手方向の他端に長手方向の一端が厚み方向で電気的に導通する状態に積層し、第１エレメント部２３１と第１エレメント部２３１にて受信可能な通信波の周波数帯と異なる例えばアナログテレビ放送波などの周波数帯の通信波を受信可能な長さに設定された第２エレメント部２３２と、を設けている。
このため、アンテナ本体２３０が受信する周波数帯の長さ寸法に対応して分割可能に導通状態で連結しているので、利用者毎に受信しようとする周波数に応じた位置のみを残して剥ぎ取るなどして不要部分を除去するのみでよく、受信する通信波の周波数に応じて、例えば各地域における番組毎にエレメントの長さ寸法を設定して形成する必要がなく、汎用性の高いフィルム状アンテナ２００を提供できる。したがって、製造品目が少なく、製造効率が高くなるとともに各製品の製造管理や在庫管理なども容易となり、汎用性の高いフィルム状アンテナ２００を安価に提供できる。
【００３３】
また、受信する周波数に対応する長さ寸法が連結する全長で長くなる部分となる第２エレメント部２３２が貼付シート２１０側に位置する状態で、順次短くなる部分となる第１エレメント部２３１を端部が積層する状態に設けて転写させる構成としている。
このため、アンテナ本体２３０の不要部分となる先端側から順次剥ぎ取るように除去することが容易にでき、所定の長さ寸法への設定が容易にできる。
【００３４】
さらに、連結する各部分に対応して異なる周波数帯の通信波の内容、例えば「アナログテレビ」や「デジタルテレビ」などの内容を示す表示部を設けている。
このため、利用者がいずれの部分を除去すれば所望の周波数帯を受信できるようになるかを判断することが容易となり、作業性をより向上できる。
【００３５】
（第２実施携帯の変形例）
なお、上記第２実施形態において、第１エレメント部２３１および第２エレメント部２３２の２つの部分を連結してアンテナ本体２３０を構成して説明したが、２つに限らず、複数連結してもよい。
例えば、図１に示すようなチャンネルの場合には、切断用案内部１４０の各目盛部１４１の切断位置で積層する状態に、チャンネル数に対応して連結してアンテナ本体２３０を構成するなどもできる。
【００３６】
そして、例えば熱転写などの場合、剥離シート２２０を設けず、貼付シート２１０にアンテナ本体２３０を設けた構成としてもよい。
【００３７】
また、例えば連結する各エレメント部分をそれぞれ異なる色として識別可能としてもよい。
【００３８】
そして、例えば、図９に示すように、上述した図６に示す実施形態のような保護層１５０を設けてもよい。
この図９に示す変形例としては、第１エレメント部２３１と第２エレメント部２３２が連結する位置で、図６に示す実施形態の保護層１５０も保護層１５１，１５２に分割された構成とすればよい。
この図９に示す構成によれば、保護層１５１とともに第２エレメント部２３２が除去されることとなり、第１エレメント部２３１は残る保護層１５２にて保護される状態が維持され、残る第１エレメント部２３１の錆などの不都合を防止できる。
【００３９】
さらに、例えば、図１０に示すように、上述した第１実施形態の変形例で説明したように、保護層１５１，１５２を介して被貼付体にアンテナ本体２３０を貼り付ける構成では、図９に示す保護層１５１，１５２と同様に、連結する位置で保護層１５１，１５２を分割して設ければよい。
この図１０に示す構成によれば、同様にアンテナ本体２３０の被貼付体に対する貼付面積が各エレメント部分毎に増大し、貼付強度を向上できる。
この場合でも、アンテナ本体２３０を間に挟み込む状態に２層の保護層１５１，１５２を設けることで、貼付強度を向上できるとともにアンテナ本体２３０の錆などの不都合も防止できるので、より好ましい。
【００４０】
なお、本発明は、上述した第１実施形態および第２実施形態に限定されるものではなく、本発明の目的を達成できる範囲で以下に示される変形をも含むものである。
【００４１】
すなわち、車両に搭載される構成に限らず、家庭用など設置タイプなど、各種形態のアンテナとして適用できる。
【００４２】
その他、本発明の実施の際の具体的な構造は、本発明の目的を達成できる範囲で他の構造などに適宜変更できる。
【００４３】
〔実施の形態の効果〕
上述したように、上記一実施の形態では、シート状ではさみやカッターナイフなどの切断装置にて切断可能な貼付シート１１０に、切断装置にて切断可能に導電性材料にて細線状で、ラジオ放送波やテレビ放送波などの通信波を受信可能で、受信により接続される受信装置へ電圧を印加するエレメント部１３１を有したアンテナ本体１３０を設け、シート状で切断装置にて切断可能な剥離シート１２０を貼付シート１１０に積層形成する。そして、貼付シート１１０に、切断装置で切断するエレメント部１３１で受信させる通信波の周波数に対応する長さ位置で切断位置を示す切断用案内部１４０を設けている。
このため、利用者毎に受信しようとする周波数に応じて切断用案内部１４０の表示に従って単に切断するのみでよく、受信する通信波の周波数に応じて、例えば各地域における番組毎にエレメント部１３１の長さ寸法を設定して形成する必要がなく、汎用性の高いフィルム状アンテナ１００を提供できる。したがって、製造品目が少なく、製造効率が高くなるとともに各製品の製造管理や在庫管理なども容易となり、汎用性の高いフィルム状アンテナ１００を安価に提供できる。
【００４４】
また、上記一実施の形態では、シート状の貼付シート２１０に、導電性部材にて細線状で例えばデジタルテレビ放送波などの所定の周波数帯の通信波を受信可能な長さに設けられた第１エレメント部２３１と、導電性部材にて細線状で第１エレメント部２３１の長手方向の他端に長手方向の一端が厚み方向で電気的に導通する状態に積層し、第１エレメント部２３１と第１エレメント部２３１にて受信可能な通信波の周波数帯と異なる例えばアナログテレビ放送波などの周波数帯の通信波を受信可能な長さに設定された第２エレメント部２３２と、を設けている。
このため、アンテナ本体２３０が受信する周波数帯の長さ寸法に対応して分割可能に導通状態で連結しているので、利用者毎に受信しようとする周波数に応じた位置のみを残して剥ぎ取るなどして不要部分を除去するのみでよく、受信する通信波の周波数に応じて、例えば各地域における番組毎にエレメントの長さ寸法を設定して形成する必要がなく、汎用性の高いフィルム状アンテナ２００を提供できる。したがって、製造品目が少なく、製造効率が高くなるとともに各製品の製造管理や在庫管理なども容易となり、汎用性の高いフィルム状アンテナ２００を安価に提供できる。
【図面の簡単な説明】
【００４５】
【図１】本発明の第１実施形態におけるフィルム状アンテナの概略構成を示す分解斜視図である。
【図２】本発明の第１実施形態における変形例であるフィルム状アンテナの概略構成を示す分解斜視図である。
【図３】本発明の第１実施形態における他の変形例であるフィルム状アンテナの概略構成を示す平面図である。
【図４】本発明の第１実施形態におけるさらに他の変形例であるフィルム状アンテナのエレメント部を示す一部を切り欠いた平面図である。
【図５】本発明の第１実施形態におけるさらに他の変形例であるフィルム状アンテナのエレメント部を示す一部を切り欠いた平面図である。
【図６】本発明の第１実施形態におけるさらに他の変形例であるフィルム状アンテナのエレメント部を示す一部を切り欠いた断面図である。
【図７】本発明の第１実施形態におけるさらに他の変形例であるフィルム状アンテナのエレメント部を示す一部を切り欠いた断面図である。
【図８】本発明の第２実施形態におけるフィルム状アンテナの概略構成を示す一部を切り欠いた断面図である。
【図９】本発明の第２実施形態における変形例であるフィルム状アンテナの概略構成を示す一部を切り欠いた断面図である。
【図１０】本発明の第２実施形態における他の変形例であるフィルム状アンテナの概略構成を示す一部を切り欠いた断面図である。
【符号の説明】
【００４６】
１００，２００……アンテナ装置としてのフィルム状アンテナ
１１０，２１０……フィルム部としての貼付シート
１２０……シート部としての剥離シート
１３１……エレメント部
１４０……表示部としての切断用案内部
２３１……第１エレメント部
２３２……第２エレメント部
【図１】
2007194844.tif 000003
【図２】
2007194844.tif 000004
【図３】
2007194844.tif 000005
【図４】
2007194844.tif 000006
【図５】
2007194844.tif 000007
【図６】
2007194844.tif 000008
【図７】
2007194844.tif 000009
【図８】
2007194844.tif 000010
【図９】
2007194844.tif 000011
【図１０】
2007194844.tif 000012